(57)【特許請求の範囲】
【請求項１】
電波暗室に供試機器を搬入する供試機器搬入出設備おいて、
供試機器を電波暗室の床面下方から搬入する昇降機と、
電波暗室の床面下方に設けられた準備室とを備え、
準備室は、壁面に供試機器を搬入搬出する搬入搬出用扉を備え、室内に前記昇降機を備え、
準備室は、昇降機が供試機器を支持する位置に、搬入搬出用扉から搬入する供試機器を設置するための準備空間となり、
前記電波暗室は、シールドされたシールド床面を有しており、
前記昇降機は、シールド床面の少なくとも一部を昇降させ、前記電波暗室の床面下方にある準備室から、供試機器を搬入し、
前記シールド床面は、昇降するシールド床面以外のシールド床面に、回転するターンテーブルを備える
ことを特徴とする電波暗室の供試機器搬入出設備。
【請求項２】
昇降機は、供試機器を設置する試験台を昇降させることを特徴とする請求項１記載の電波暗室の供試機器搬入出設備。
【請求項３】
昇降機は、準備空間内で供試機器を支持する位置を調整できることを特徴とする請求項１記載の電波暗室の供試機器搬入出設備。
【請求項４】
昇降機は、電波暗室内で供試機器を支持する位置を調整できることを特徴とする請求項１記載の電波暗室の供試機器搬入出設備。
【請求項５】
電波暗室に供試機器を搬入する供試機器搬入出設備おいて、
供試機器を電波暗室の床面下方から搬入する昇降機と、
電波暗室の床面下方に設けられた準備室とを備え、
準備室は、壁面に供試機器を搬入搬出する搬入搬出用扉を備え、室内に前記昇降機を備え、
準備室は、昇降機が供試機器を支持する位置に、搬入搬出用扉から搬入する供試機器を設置するための準備空間となり、
前記電波暗室は、シールドされたシールド床面を有しており、
前記昇降機は、シールド床面の全部を昇降させ、前記電波暗室の床面下方にある準備室から、供試機器を搬入することを特徴とする電波暗室の供試機器搬入出設備。
【発明の詳細な説明】
【０００１】
【発明の属する技術分野】
本発明は、電波暗室内での実験に供する測定機器、実験の対象となる被測定機器やそれらの備品等の供試機器を電波暗室内に搬入し、搬出する移送手段を含む電波暗室の供試機器搬入出設備に係り、搬入搬出作業を含む準備作業の効率と安全性を向上させることができる電波暗室の供試機器搬入出設備に関する。
【０００２】
【従来の技術】
図６は、特開昭５６−８５０６１公報に示された電波暗室の床パネル構造を示す平面図、図７、図８は同従来例の電波暗室出入り口に通ずる機器搬入搬出路の電波吸収体パネル体のもぐり込み部の構造を示す立面図である。
これらの図において、２１は電波暗室、２２は電波吸収パネル、２３は機器搬入搬出口、２４は開き戸、２５は機器搬入搬出路、２６は軌条、２７は電動トロッコ、２８は流体圧シリンダ、２９は引き戸式扉、３０は第１の電波吸収パネル体、３１は第２の電波吸収パネル体である。
【０００３】
この従来技術では、第２の電波吸収パネル体３１を流体圧シリンダ２８で上昇させ、第１の電波吸収パネル体３０を電動トロッコ２７により軌条２６にそって、その下にもぐり込ませ、機器搬入搬出路２５を開放する構造になっている。これにより、開き戸２４の開かれた機器搬入搬出口２３を通じ、供試機器を電波暗室２１内に搬入することができる。
【０００４】
しかし、軌条２６、電動トロッコ２７、流体圧シリンダ２８、第１の電波吸収パネル体３０、第２の電波吸収パネル体３１等により構成されるため機器搬入搬出路２５付近の床面の構造が複雑になり、電波吸収特性と作業上の安全性と電波暗室２１の省スペース化の観点から問題があった。
【０００５】
また、機器搬入搬出口２３を電波暗室２１の壁面に設けられた開き戸２４で構成するため、電波吸収パネル２２の連続性に欠け、電波吸収特性の観点から問題があり、また、機器の搬入搬出の際に機器搬入搬出口２３や機器搬入搬出路２５付近の電波吸収体を破壊する恐れもあった。
【０００６】
更に、大重量機器を搬入搬出する手段を有さないため、機器の搬入搬出に際して、作業者に多大な労力がかかるとともに、安全性の観点からも問題があり、搬入搬出の作業中に機器に衝撃が加わるおそれもあった。
【０００７】
加えて、電波暗室２１内に搬入された供試機器を試験台に設置する作業に労力を要し、安全性の観点から問題があり、作業中に供試機器に衝撃が加わるおそれもあった。
【０００８】
【発明が解決しようとする課題】
本発明は、上記した従来技術の欠点を除くためになされたものであって、その目的とするところは、電波暗室の床面の構造を簡略化し、作業上の安全性と電波吸収特性の観点から改善を図り、電波暗室の省スペース化を図ることにある。
【０００９】
また他の目的は、電波暗室の壁面に設けられていた機器搬入搬出口を不要とし、電波吸収パネルの連続性を確保し、電波吸収特性の観点からの改善を図り、また、機器の搬入搬出の際の設備破壊を防止することである。
【００１０】
更に他の目的は、大重量機器を搬入搬出する手段を提供し、機器の搬入搬出の際の作業負担の軽減と安全の確保を図り、作業中に機器に衝撃が加わることを防止することである。
【００１１】
加えて、電波暗室内に搬入された試供機器を試験台に設置する作業を不要にし、作業者の負担の軽減と安全の確保を図り、作業中に機器に衝撃が加わることを防止することである。
【００１２】
【課題を解決するための手段】
本発明の電波暗室の供試機器搬入出設備は、電波暗室の下方から供試機器を搬入することを特徴とするものである。
【００１３】
本発明の電波暗室の供試機器搬入出設備は、昇降機を用いて供試機器を搬入することを特徴とするものである。
【００１４】
本発明の電波暗室の供試機器搬入出設備は、電波暗室がシールドされたシールド床面を有しており、昇降機がシールド床面の少なくとも一部を昇降させることを特徴とするものである。
【００１５】
本発明の電波暗室の供試機器搬入出設備は、昇降機が供試機器を支持する位置に、搬入する供試機器を設置するための準備空間を有することを特徴とするものである。
【００１６】
本発明の電波暗室の供試機器搬入出設備は、供試機器を設置する試験台を昇降機が昇降させることを特徴とするものである。
【００１７】
本発明の電波暗室の供試機器搬入出設備は、準備空間内で昇降機が供試機器を支持する位置を調整できることを特徴とするものである。
【００１８】
本発明の電波暗室の供試機器搬入出設備は、電波暗室内で昇降機が供試機器を支持する位置を調整できることを特徴とするものである。
【００１９】
本発明の電波暗室の供試機器搬入出設備は、昇降するシールド床面の少なくとも一部が回転することを特徴とするものである。
【００２０】
本発明の電波暗室の供試機器搬入出設備は、試験台の設置面が回転することを特徴とするものである。
【００２１】
【発明の実施の形態】
実施の形態１．
以下本発明を図面に示す実施の形態に基づいて説明する。
本発明における供試機器１とは、電波暗室内での実験に供する測定機器、実験の対象となる被測定機器やそれらの備品等のことである。
【００２２】
図１、図２のように本実施の形態に係る電波暗室の供試機器搬入出設備は、昇降するシールド床面２と、クロスリンク式昇降機３と、ターンテーブル４と、電波暗室５と、電波暗室床面６と、電波吸収体７と、準備室８と、準備室床面９と、準備室搬入搬出用扉１０と、測定用アンテナ１１と、試験台１２を備えている。
【００２３】
図１のように電波暗室５は、その壁面に電波吸収体７が張り巡らされ、電波暗室床面６は一面シールドされている。また、電波暗室５の空間内には、電波測定の為の測定用アンテナ１１が設置され、電波暗室床面６の一部に設けられターンテーブル４上には、被測定機器を設置する試験台１２が設置されている。ターンテーブル４は試験台１２の向きを変えるように回転する構造になっている。
【００２４】
図１のように準備室８は、電波暗室５の下方に設けられている。準備室８の壁面には、供試機器を搬入搬出する為の準備室搬入搬出用扉１０が設けられている。また、図２のように準備室８は、クロスリンク式昇降機３が供試機器１を支持する位置（本実施の形態では、昇降するシールド床面２である。）に、供試機器１を設置するための準備空間となる（図２（ａ））。また、設置の際に供試機器１を組立て又は改良等のために加工することができるように構成されている。
尚、図１のように本実施の形態の準備室８は壁面を有しているが、必ずしも壁面を要しない。
【００２５】
図２のようにクロスリンク式昇降機３は、準備室床面９の一部を貫くように固設され、その上部に昇降するシールド床面２を支持し、その昇降するシールド床面２が準備室床面９又は電波暗室床面６に位置するように保持し（図２（ａ）（ｃ））、更にその間を移動するように構成されている。また、その昇降するシールド床面２が電波暗室５又は準備室８の所望の高さに位置するように保持することもできるように構成されている（図２（ｂ）（ｄ））。
【００２６】
本実施の形態は、上記のように構成されており、以下その作用について説明する。作業者は、図１の準備室搬入搬出用扉１０を通じて、準備室８に供試機器１を搬入する。
【００２７】
作業者は、クロスリンク式昇降機３を操作し、昇降するシールド床面２が準備室床面９と同じ高さになるように保持させる（図２（ａ））。
【００２８】
作業者は、昇降するシールド床面２に供試機器１を設置する（図２（ａ））。
その際に、作業者は、供試機器１を組立て又は改良等のために加工することができる。
【００２９】
作業者は、クロスリンク式昇降機３を操作し、昇降するシールド床面２が電波暗室床面６と同じ高さになるまで上昇させ、保持させる（図２（ｃ））。このようにして、供試機器１は昇降するシールド床面２に設置され、クロスリンク式昇降機３により持ち上げられ、電波暗室５内に移送される。また、昇降するシールド床面２は、電波暗室床面６と同一平面上で一体となる。これにより、電波暗室５の床面が一体のシールド面となる。
【００３０】
作業者は、昇降するシールド床面２上の供試機器１を所定の位置に移動する（図２（ｃ））。供試機器１が被測定機器である場合には、作業者は被測定機器をターンテーブル４上の試験台１２の上に設置する。ターンテーブル４は回転するため、作業者は被測定機器の向きを自在に変更し、測定することができる。
【００３１】
作業者が供試機器１を搬出する場合には、逆に作用する。作業者は、電波暗室床面６と同じ高さの昇降するシールド床面２に供試機器１を設置し（図２（ｃ））、クロスリンク式昇降機３を操作し、昇降するシールド床面２が準備室床面９と同じ高さになるまで降下させ（図２（ａ））、昇降するシールド床面２上の供試機器１を図１の準備室搬入搬出用扉１０を通じて、準備室８外へ搬出する。搬出する前に、搬出しやすいように準備室８において供試機器１を解体することもできる。
【００３２】
搬入の際、昇降するシールド床面２が準備室床面９と同じ高さになるように保持させる例を示したが（図２（ａ））、作業者が設置、撤去、組立て又は加工などの作業をしやすい高さになるように保持させることもできる（図２（ｂ））。
【００３３】
同様に、昇降するシールド床面２が電波暗室床面６と同じ高さになるように保持させる例を示したが（図２（ｃ））、作業者が撤去又は設置等の作業をしやすい高さになるように保持させることもできる（図２（ｄ））。
【００３４】
図３のように昇降機として流体圧式昇降機１３を用いることもできる。この場合でも、クロスリンク式昇降機３を用いた場合と同様の構成と作用により同等の効果を得ることができる。
【００３５】
本実施の形態では、電波暗室床面６の一部を昇降するシールド床面２としたが、電波暗室床面６の全部が昇降する構成でも良い。これにより、昇降時の供試機器１と準備室８の天井又は電波暗室床面６の接触を避け、作業の安全性を更に向上させることができる。
【００３６】
本実施の形態では、供試機器１を電波暗室５から準備室８へ移送した後、直ちに準備室８外へ搬出したが、準備室８内において供試機器１を改良等のために加工し、再び電波暗室５へ移送し、再度電波測定をすることもできる。
【００３７】
実施の形態２．
図４、図５のように本実施の形態に係る電波暗室の供試機器搬入出設備は、クロスリンク式昇降機３と、電波暗室５と、電波暗室床面６と、電波吸収体７と、準備室８と、準備室床面９と、準備室搬入搬出用扉１０と、測定用アンテナ１１と、試験台１２と、昇降するシールドターンテーブル１４を備えている。つまり、実施の形態１の昇降するシールド床面２とターンテーブル４に替えて、昇降するシールドターンテーブル１４を備えている。
【００３８】
図４のように電波暗室５は、電波暗室床面６の一部に設けられターンテーブル４が不要である点を除き、実施の形態１と同様の構成である。
【００３９】
図４のように準備室８は、実施の形態１と同様の構成である。
【００４０】
図４のように昇降するシールドターンテーブル１４は、実施の形態１の昇降するシールド床面２と同様にシールドされており、その上には実施の形態１のターンテーブル４と同様に被測定機器を設置する試験台１２が設置されている。また、昇降するシールドターンテーブル１４は、試験台１２の向きを変えることができるように回転する構造になっている。
【００４１】
図５のようにクロスリンク式昇降機３は、実施の形態１の昇降するシールド床面２に替えて昇降するシールドターンテーブル１４を支持している。その昇降するシールドターンテーブル１４が準備室床面９又は電波暗室床面６に位置するように保持し（図５（ｂ）（ｅ））、その間を移動するように構成されている。また、その昇降するシールドターンテーブル１４上に設置された試験台１２上の設置面が電波暗室５又は準備室８の所望の高さに位置するように保持することもできるように構成されている（図５（ａ）（ｃ）（ｄ）（ｆ））。
尚本実施の形態では、クロスリンク式昇降機３が供試機器１を支持する位置は、試験台１２上の設置面である。
【００４２】
本実施の形態は、上記のように構成されており、以下その作用について説明する。作業者は、実施の形態１と同様に、準備室８に供試機器１を搬入する。
【００４３】
作業者は、クロスリンク式昇降機３を操作し、昇降するシールドターンテーブル１４が準備室床面９と同じ高さになるように（図５（ｂ））、又は試験台１２上の設置面が準備室８の所望の高さに位置するように保持させる（図５（ａ）（ｃ））。
【００４４】
作業者は試験台１２上の設置面に供試機器１を設置する（図５（ａ）（ｂ）（ｃ））。その際に、作業者は、供試機器１を組立て又は改良等のために加工することができる。特に供試機器１が被測定機器の場合には、試験台１２に設置された被測定機器を搬入した後そのままの状態で電波測定することが可能なので、電波暗室５での準備作業を削減するため、被測定機器を電波測定可能な状態にして設置する。
【００４５】
作業者は、クロスリンク式昇降機３を操作し、昇降するシールド床面２が電波暗室床面６と同じ高さになるまで、上昇させ、保持させる（図５（ｅ））。このようにして、供試機器１は昇降するシールドターンテーブル１４上の試験台１２の設置面に設置され、クロスリンク式昇降機３により持ち上げられ、電波暗室５内に移送される。また、昇降するシールドターンテーブル１４は、電波暗室床面６と同一平面上で一体となる。これにより、電波暗室５の床面が一体のシールド面となる。
尚、試験台１２上の設置面が電波暗室５の所望の高さに位置するように、クロスリンク式昇降機３を操作し、上昇させ、保持させることもできる（図５（ｄ）（ｆ））。これにより、供試機器１を試験台１２の設置面から他の位置に移動する場合の作業性が向上する。
【００４６】
供試機器１が被測定機器である場合には、既に昇降するシールドターンテーブル１４上の試験台１２の設置面に設置されているので（図５（ｅ））、作業者は供試機器１を移動する必要がない。昇降するシールドターンテーブル１４は回転するため、作業者は被測定機器の向きを自在に変更し、測定することができる。
【００４７】
作業者が供試機器１を搬出する場合には、逆に作用する。作業者は、供試機器１が昇降するシールドターンテーブル１４上の試験台１２の設置面に設置されている状態で（図５（ｅ））、クロスリンク式昇降機３を操作し、昇降するシールドターンテーブル１４が準備室床面９と同じ高さになるまで（図５（ｂ））、又は試験台１２上の設置面が準備室８の所望の高さに位置するように降下させ（図５（ａ）（ｃ））、図４の準備室搬入搬出用扉１０を通じて、試験台１２上の供試機器１を準備室８外へ搬出する。実施の形態１と同様に、供試機器１を解体することもできる。
【００４８】
実施の形態１と同様に、昇降機として流体圧式昇降機１３を用いることもできる。この場合でも、クロスリンク式昇降機３を用いた場合と同様の構成と作用により同等の効果を得ることができる。
【００４９】
本実施の形態では、電波暗室床面６の一部を昇降するシールドターンテーブル１４としたが、電波暗室床面６の全部が昇降し、その一部又は全部が回転する構成とすることもできる。これにより、昇降時の供試機器１と準備室８の天井又は電波暗室床面６の接触を避け、作業の安全性を更に向上させることができる。
【００５０】
【発明の効果】
本発明においては、電波暗室の下方から供試機器を搬入するので、電波暗室の床面に機器搬入搬出路を設ける必要がなくなり、電波暗室の床面の構造を簡略化できる。これにより、電波暗室の床面が一体の水平面となり、作業上の安全性を向上し、電波暗室の省スペース化を図ることができる。
また、電波暗室の下方から供試機器を搬入するので、電波暗室の壁面に機器搬入搬出口を設ける必要がなくなり、電波暗室の壁面の電波吸収パネルの連続性を確保し、電波吸収特性、シールド特性の観点から改善を図り、また、機器の搬入搬出の際の設備破壊を防止できる。
【００５１】
本発明においては、昇降機を用いて供試機器を搬入するので、電波暗室内の試験台の付近まで搬入し、大重量機器を搬入する際の作業者の労力を大幅に軽減させ、作業の安全性の観点から改善を図ることができる。また、機器に衝撃が加わることを防止することができる。
【００５２】
本発明においては、電波暗室がシールドされたシールド床面を有しており、昇降機は、シールド床面の少なくとも一部を昇降させるので、電波暗室のシールド床面が一体の水平面となり、電波吸収特性、シールド特性の観点から改善を図ることができる。
また、シールド面を張り直す作業が不要になり、準備作業を簡略化できる。
【００５３】
本発明においては、昇降機が供試機器を支持する位置に、搬入する供試機器を設置するための準備空間を有するので、供試機器を設置する際に供試機器の組立てや加工等の準備が可能となる。更に昇降機を用いるので、供試機器に衝撃を加わえること無く組立て又は加工した状態を維持して搬入することができるようになる。従って、電波暗室内の供試機器の組立て等の準備作業が軽減される。また、供試機器を改良等のために加工し再試験を繰り返す場合には、電波暗室と準備室間の移送の労力が軽減されるので、加工作業を効率的に行なえるようになる。従って、電波試験全体の効率化を図ることができる。
【００５４】
本発明においては、昇降機が供試機器を設置する試験台を昇降させるので、試験台に設置された被測定機器を搬入された状態に手を加えること無く電波試験することができる。従って、電波暗室内での被測定機器の移動の必要は無く、作業者の負担の軽減と安全の確保を図り、作業中に機器に衝撃が加わることを防止することができる。また、準備空間で被測定機器の組立てや加工等の準備をする場合には、搬入後その状態に手を加えること無く電波試験できるので、準備作業をすべて準備空間で行なうことができ、電波暗室での準備作業が不要になる。
更に、電波暗室の省スペース化を図ることができる。
【００５５】
本発明においては、準備空間内で供試機器を支持する位置を調整できるので、供試機器を設置や撤去する場合の作業の負担が軽減され、安全が確保される。特に、試験台を昇降させる場合には、試験台の設置面を本来の位置よりも低い位置に調整することにより、設置や撤去の際に供試機器を試験台の高さまで持ち上げたり、試験台の高さから降ろす動作が不要になり、水平に運ぶ動作のみで足りるので、供試機器の設置や撤去の作業が非常に容易になる。
【００５６】
本発明においては、電波暗室内で供試機器を支持する位置を調整できるので、搬入された供試機器を設置や撤去する場合の作業の負担が軽減され、安全が確保される。また、試験台を昇降させる場合には、昇降機を用いて電波試験時の被測定機器の高さを調整することができる。
【００５７】
本発明においては、昇降するシールド床面の少なくとも一部が回転するので、準備空間又は電波暗室での供試機器の設置や撤去の際の供試機器の向きが自在になり作業者の負担が軽減され、安全性が向上する。また、試験台に設置した被測定機器の状態に手を加えること無く、電波暗室内に移送し、向きを変えて電波試験をすることができる。これにより、準備空間での設置の際の被測定機器の向きが自由になり、また、電波暗室での被測定機器の向きを変えるための再設置の作業が不要になる。
更に、電波暗室の省スペース化を図ることができる。
【００５８】
本発明においては、試験台の設置面が回転するので、昇降するシールド床面の少なくとも一部が回転する場合と同等の効果を得ることができる。
【図面の簡単な説明】
【図１】  本発明の実施の形態１に係る電波暗室の供試機器搬入出設備の構造及び動作を説明する斜視図である。
【図２】  本発明の実施の形態１に係るクロスリンク式の昇降機を用いた電波暗室の供試機器搬入出設備の構造及び動作を説明する断面図である。
【図３】  本発明の実施の形態１に係る油圧式の昇降機を用いた電波暗室の供試機器搬入出設備の構造及び動作を説明する断面図である。
【図４】  本発明の実施の形態２に係る電波暗室の供試機器搬入出設備の構造及び動作を説明する斜視図である。
【図５】  本発明の実施の形態２に係る電波暗室の供試機器搬入出設備の構造及び動作を説明する断面図である。
【図６】  従来技術の電波暗室の床パネル構造を示す平面図である。
【図７】  従来技術の床面搬入搬出口のもぐり込み部の構造を示す立面図である。
【図８】  従来技術の床面搬入搬出口のもぐり込み部の構造を示す立面図である。
【符号の説明】
１  供試機器、２  昇降するシールド床面、３  クロスリンク式昇降機、４  ターンテーブル、５  電波暗室、６  電波暗室床面、７  電波吸収体、８  準備室、９  準備室床面、１０  準備室搬入搬出用扉、１１  測定用アンテナ、１２試験台、１３  流体圧式昇降機、１４  昇降するシールドターンテーブル、２１  電波暗室、２２  電波吸収パネル、２３  機器搬入搬出口、２４  開き戸、２５  機器搬入搬出路、２６  軌条、２７  電動トロッコ、２８  流体圧シリンダ、２９  引き戸式扉、３０  第１の電波吸収パネル体、３１  第２の電波吸収パネル体。
【図１】
0003980179.tif 000002
【図２】
0003980179.tif 000003
【図３】
0003980179.tif 000004
【図４】
0003980179.tif 000005
【図５】
0003980179.tif 000006
【図６】
0003980179.tif 000007
【図７】
0003980179.tif 000008
【図８】
0003980179.tif 000009